(57)【要約】【課題】  符号分割多重接続通信システムにおける逆方向データ再伝送システム及び方法を提供する。【解決手段】  本発明は基地局と、基地局の領域内の使用者端末機と、基地局に隣接し、基地局と重畳するソフトハンドオーバー領域を有する隣接基地局と、基地局と隣接基地局と接続された無線ネットワーク制御器と、含む符号分割多重接続通信システムで、使用者端末機が基地局の領域内のソフトハンドオーバー領域ではない非ソフトハンドオーバー領域に存在する場合、逆方向データを予め設定された第１伝送時区間で基地局に伝送し、使用者端末機がソフトハンドオーバー領域に存在するとき、逆方向データを第１伝送時区間と相異なる第２伝送時区間で基地局及び隣接基地局に伝送する。【選択図】  図５
2004248299.tif 000002
【特許請求の範囲】
【請求項１】
基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、を含む符号分割多重接続通信システムで、前記使用者端末機が逆方向データを伝送する方法において、
前記使用者端末機が前記基地局の領域内の前記ソフトハンドオーバー領域ではない非ソフトハンドオーバー領域、または前記ソフトハンドオーバー領域に存在するかを判断する過程と、
前記判断結果、前記使用者端末機が前記非ソフトハンドオーバー領域に存在するとき、前記逆方向データを予め設定された第１伝送時区間で前記基地局に伝送する過程と、
前記判断結果、前記使用者端末機が前記ソフトハンドオーバー領域に存在するとき、前記逆方向データを前記第１伝送時区間と相異なる第２伝送時区間で前記基地局及び隣接基地局に伝送する過程と、を含むことを特徴とする前記方法。
【請求項２】
前記第２伝送時区間は、前記第１伝送時区間より長い時区間であることを特徴とする請求項１記載の前記方法。
【請求項３】
前記使用者端末機が前記非ソフトハンドオーバー領域に存在するとき、前記基地局から前記逆方向データに対する否定的認知情報を受信する場合、前記基地局に前記逆方向データを再伝送する過程をさらに含むことを特徴とする請求項１記載の前記方法。
【請求項４】
前記逆方向データを再伝送する過程は、前記最初伝送した逆方向データと同一の逆方向データを再伝送するか、または前記最初伝送した逆方向データのうち一部のデータを再伝送することを特徴とする請求項３記載の前記方法。
【請求項５】
前記使用者端末機が前記ソフトハンドオーバー領域に存在するとき、前記基地局及び隣接基地局から前記逆方向データに対する否定的認知情報を受信する場合、前記基地局及び隣接基地局に前記逆方向データを再伝送する過程をさらに含むことを特徴とする請求項１記載の前記方法。
【請求項６】
前記逆方向データを再伝送する過程は、前記最初伝送した逆方向データと同一の逆方向データを再伝送するか、または前記最初伝送した逆方向データのうち、自己デコーディング可能な一部のデータを再伝送することを特徴とする請求項５記載の前記方法。
【請求項７】
前記使用者端末機が前記基地局領域内の前記ソフトハンドオーバー領域ではない非ソフトハンドオーバー領域、または前記ソフトハンドオーバー領域に存在するか否かを判断する過程は、前記無線ネットワーク制御器から前記使用者端末機が前記ソフトハンドオーバー領域に進入することを示す情報が受信されるか否かに応じて判断することを特徴とする請求項１記載の前記方法。
【請求項８】
基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、含む符号分割多重接続通信システムで、前記基地局及び隣接基地局で使用者端末機が伝送した逆方向データに対する認知情報、または否定的認知情報を伝送する方法において、
前記使用者端末機が前記基地局領域内の前記ソフトハンドオーバー領域ではない非ソフトハンドオーバー領域、または前記ソフトハンドオーバー領域に存在するか否かを判断する過程と、
前記判断結果、使用者端末機が前記非ソフトハンドオーバー領域に存在する場合、前記逆方向データに対する認知情報、または否定的認知情報を決定し、前記決定した認知情報、または否定的認知情報を前記使用者端末機に伝送する過程と、
前記判断結果、前記使用者端末機が前記ソフトハンドオーバー領域に存在する場合、前記逆方向データに対する認知情報、または否定的認知情報を決定し、前記決定した認知情報、または否定的認知情報を前記無線ネットワーク制御器に伝送する過程と、
前記認知情報、または否定的認知情報を伝送した後、前記無線ネットワーク制御器から前記逆方向データに対する最終認知情報、または最終否定的認知情報を受信する過程と、
前記最終認知情報、または最終否定的認知情報を前記使用者端末機に伝送する過程と、を含むことを特徴とする前記方法。
【請求項９】
前記使用者端末機が前記基地局領域内の前記ソフトハンドオーバー領域ではない非ソフトハンドオーバー領域、または前記ソフトハンドオーバー領域に存在するか否かを判断する過程は、前記無線ネットワーク制御器から前記使用者端末機が前記ソフトハンドオーバー領域に進入することを示す情報が受信されたか否かに応じて判断することを特徴とする請求項８記載の前記方法。
【請求項１０】
前記使用者端末機が前記ソフトハンドオーバー領域に進入することを示す情報は、フレームプロトコルの制御フレームを通じて受信されることを特徴とする請求項９記載の前記方法。
【請求項１１】
基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、を含む符号分割多重接続通信システムで、前記無線ネットワーク制御器が前記使用者端末機が伝送した逆方向データに対する最終認知情報、または最終否定的認知情報を伝送する方法において、
前記使用者端末機が前記ソフトハンドオーバー領域に存在することを感知すると、前記基地局及び隣接基地局に前記使用者端末機が前記ソフトハンドオーバー領域に存在することを通報する過程と、
前記使用者端末機が前記ソフトハンドオーバー領域に存在することを通報した後、前記基地局及び隣接基地局から前記逆方向データに対する認知情報、または否定的認知情報を受信する過程と、
前記基地局及び隣接基地局それぞれから受信した認知情報、または否定的認知情報を考慮して前記逆方向データに対する最終認知情報、または最終否定的認知情報を決定し、前記決定した最終認知情報、または最終否定的認知情報を前記基地局及び隣接基地局に伝送する過程と、を含むことを特徴とする前記方法。
【請求項１２】
前記逆方向データに対する最終認知情報、または最終否定的認知情報を決定する過程は、前記基地局及び隣接基地局のうち、少なくとも一つの基地局からでも前記認知情報を受信した場合、前記逆方向データに対して最終認知情報を決定することを特徴とする請求項１１記載の前記方法。
【請求項１３】
前記逆方向データに対する最終認知情報、または最終否定的認知情報を決定する過程は、
前記基地局及び隣接基地局すべてから前記認知情報を受信できない場合、前記逆方向データに対して最終否定的認知情報を決定することを特徴とする請求項１１記載の前記方法。
【請求項１４】
前記使用者端末機が前記ソフトハンドオーバー領域に存在することを通報する過程は、フレームプロトコルの制御フレームを通じて前記使用者端末機が前記ソフトハンドオーバー領域に存在することを示す情報を含ませて伝送することを特徴とする請求項１１記載の前記方法。
【請求項１５】
基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、を含む符号分割多重接続通信システムで、前記使用者端末機が逆方向データを伝送するシステムにおいて、
前記基地局領域内の前記ソフトハンドオーバー領域ではない非ソフトハンドオーバー領域、または前記ソフトハンドオーバー領域に存在するかを判断し、前記判断結果、前記非ソフトハンドオーバー領域に存在するとき、前記逆方向データを予め設定された第１伝送時区間で前記基地局に伝送し、前記判断結果、前記ソフトハンドオーバー領域に存在するとき、前記逆方向データを前記第１伝送時区間と相異なる第２伝送時区間で前記基地局に伝送する前記使用者端末機と、
前記使用者端末機が前記非ソフトハンドオーバー領域に存在する場合、前記逆方向データに対する認知情報、または否定的認知情報を決定し、前記決定した認知情報、または否定的認知情報を前記使用者端末機に伝送し、前記使用者端末機が前記ソフトハンドオーバー領域に存在する場合、前記逆方向データに対する認知情報、または否定的認知情報を決定し、前記決定した認知情報、または否定的認知情報を前記無線ネットワーク制御器に伝送し、前記認知情報、または否定的認知情報を伝送した後、前記無線ネットワーク制御器から前記逆方向データに対する最終認知情報、または最終否定的認知情報を受信して前記使用者端末機に伝送する前記基地局と、
前記使用者端末機が前記ソフトハンドオーバー領域に存在することを感知すると、前記使用者端末機と前記基地局に前記使用者端末機が前記ソフトハンドオーバー領域に存在することを通報し、以後、基地局から前記逆方向データに対する認知情報、または否定的認知情報を受信し、前記基地局それぞれから受信した認知情報、または否定的認知情報を考慮して前記逆方向データに対する最終認知情報、または最終否定的認知情報を決定して前記基地局に伝送する前記無線ネットワーク制御器と、含むことを特徴とする前記システム。
【請求項１６】
前記第２伝送時区間は、前記第１伝送時区間より長い時区間であることを特徴とする請求項１５記載の前記システム。
【請求項１７】
前記使用者端末機は、前記非ソフトハンドオーバー領域に存在するとき、前記基地局から前記逆方向データに対する否定的認知情報を受信する場合、前記基地局に前記逆方向データを再伝送することを特徴とする請求項１５記載の前記システム。
【請求項１８】
前記使用者端末機は、前記最初伝送した逆方向データと同一の逆方向データを再伝送するか、または前記最初伝送した逆方向データの一部のデータを再伝送することを特徴とする請求項１７記載の前記システム。
【請求項１９】
前記使用者端末機は、前記ソフトハンドオーバー領域に存在するとき、前記基地局及び隣接基地局から前記逆方向データに対する最終否定的認知情報を受信する場合、前記基地局及び隣接基地局に前記逆方向データを再伝送することを特徴とする請求項１５記載の前記システム。
【請求項２０】
前記使用者端末機は、前記最初伝送した逆方向データと同一の逆方向データを再伝送するか、または前記最初伝送した逆方向データのうち、自己デコーディング可能な一部のデータを再伝送することを特徴とする請求項１９記載の前記システム。
【請求項２１】
前記無線ネットワーク制御器は、フレームプロトコルの制御フレームを通じて前記使用者端末機が前記ソフトハンドオーバー領域に存在することを通報することを特徴とする請求項１５記載の前記システム。
【請求項２２】
前記無線ネットワーク制御器は、前記基地局のうち少なくとも一つの基地局から前記認知情報を受信する場合、前記逆方向データに対して最終認知情報を決定し、前記基地局すべてから前記認知情報を受信できない場合、前記逆方向データに対して最終否定的認知情報を決定することを特徴とする請求項１５記載の前記システム。
【発明の詳細な説明】
【技術分野】
【０００１】
本発明は符号分割多重接続通信(Code Division Multiple Access、以下、‘ＣＤＭＡ’)システムに関し、特に使用者端末機のチャネル環境に相応するように逆方向データを再伝送するシステム及び方法に関する。
【背景技術】
【０００２】
一般的に、非同期ＣＤＭＡ通信システムはその通信技術の発展に応じて、 高速パケットデータ伝送を可能にする通信システムに進化しており、このように高速パケットデータ伝送が可能な通信システムには高速順方向パケット接続(High Speed Downlink Packet Access、以下、‘ＨＳＤＰＡ’)通信システムが存在する。前記ＨＳＤＰＡ通信システムはヨーロッパを中心に発展したＵＭＴＳ(Universal Mobile Telecommunication System、以下、‘ＵＭＴＳ’)通信システムで順方向高速パケット伝送を支援するための順方向データチャネル(High Speed-Downlink Shared Channel、以下、‘ＨＳ-ＤＳＣＨ’)と関連された制御チャネルを含むデータ伝送方式を支援する通信システムを示す。前記ＨＳＤＰＡ方式を支援するために、適応的変調及びコーディング(Adaptive Modulation and Coding、以下、‘ＡＭＣ’)方式と、混和自動再伝送要求(Hybrid Automatic Retransmission Request、以下、‘ＨＡＲＱ’)方式、及び速いセル選択(Fast Cell Select、以下、‘ＦＣＳ’)方式が提案された。ここで、図１を参照してＵＭＴＳ通信システムである広帯域符号分割多重接続(Wideband Code Division Multiple Access、以下、‘ＷＣＤＭＡ’)通信システムの構造を説明する。
【０００３】
図１は一般的なＷＣＤＭＡ通信システムの構造を概略的に示した図である。
前記ＷＣＤＭＡ通信システムはコアネットワーク(ＣＮ:Core Network)１００と、複数個の無線ネットワークサブシステム(Radio Network Subsystem、以下、‘ＲＮＳ’)１１０及び１２０と、使用者端末機(User Equipment、以下、‘ＵＥ’)１３０で構成される。前記ＲＮＳ１１０及びＲＮＳ１２０は無線ネットワーク制御器(Radio Network Controller、以下、‘ＲＮＣ’)及び複数個の基地局(Node B、以下、‘ノードＢ’)(下記説明ではノードＢ、またはセル(cell)として用語を混用して使用する)で構成される。例えば、前記ＲＮＳ１１０はＲＮＣ１１１と複数個のノードＢ１１３、１１５で構成され、前記ＲＮＳ１２０はＲＮＣ１１２と複数個のノードＢ１１４、１１６で構成される。前記ＲＮＣはその役割に応じて、Serving ＲＮＣ(以下、‘ＳＲＮＣ’)、Drift ＲＮＣ(以下、‘ＤＲＮＣ’)、またはControlling ＲＮＣ(以下、‘ＣＲＮＣ’)に分類される。前記ＳＲＮＣとＤＲＮＣはそれぞれのＵＥに対する役割に応じて分類され、ＵＥの情報を管理し、コアネットワークとのデータ伝送を担当するＲＮＣがそのＵＥのＳＲＮＣになり、ＵＥのデータがＳＲＮＣではない他のＲＮＣを経て前記ＳＲＮＣに送受信される場合、そのＲＮＣがそのＵＥのＤＲＮＣになる。
【０００４】
前記ＣＲＮＣはノードＢそれぞれを制御するＲＮＣを示す。図１を例に挙げると、ＵＥ１３０の情報をＲＮＣ１１１が管理していると、前記ＲＮＣ１１１が前記ＵＥ１３０のＳＲＮＣになり、前記ＵＥ１３０が移動してＵＥ１３０のデータがＲＮＣ１１２を通じて送受信されると、前記ＲＮＣ１１２が前記ＵＥ１３０のＤＲＮＣになる。そしてノードＢ１１３を制御するＲＮＣ１１１が前記ノードＢ１１３のＣＲＮＣになる。
【０００５】
前記図１を参照して前記ＨＡＲＱ方式、特に多チャネル停止-待機混和自動再伝送要求(n-channel Stop And Wait Hybrid Automatic Retransmission Request、以下、‘ｎチャネルＳＡＷ ＨＡＲＱ’)方式を説明する。
前記ｎチャネルＳＡＷ ＨＡＲＱ方式は、通常的な停止-待機自動再伝送(ＳＡＷ ＡＲＱ:Stop And Wait Automatic Retransmission Request)方式の効率を高めるために、次のような２種類方式、即ちソフトコンバイン(soft combining)方式とＨＡＲＱ方式を新たに導入した方式を示す。ここで、前記ソフトコンバイン方式とＨＡＲＱ方式に対して説明する。
【０００６】
１．ソフトコンバイン方式(Soft Combining)
前記ソフトコンバイン方式は、受信側で誤りが発生したデータをソフトバッファ(soft buffer)に一時的に貯蔵し、該当データの再伝送分とコンバインして誤り発生確率を減少させる方式を意味する。そして、前記ソフトコンバイン方式にはチェイスコンバイン(Chase Combining、以下、‘ＣＣ’)方式と重複分増加(Incremental Redundancy、以下、‘ＩＲ’)方式の２種類の方式が存在する。
【０００７】
前記ＣＣ方式で、送信側は最初伝送(initial transmission)と再伝送(retransmission)に同一のフォーマットを使用してデータを伝送する。もし最初伝送にｍ個のシンボル(symbol)が一つのコーディングブロック(coded block)として伝送されたら、再伝送にも同一のｍ個のシンボルが一つのコーディングブロックとして伝送される。ここで、前記“コーディングブロック”とは一つの伝送時区間(Transmit Time Interval、以下、‘ＴＴＩ’)の間に伝送される使用者データを意味する。即ち、前記ＣＣ方式では最初伝送と再伝送に同一のコーディングレート(coding rate)が適用される。すると、受信側は最初伝送されたコーディングブロックと再伝送されたコーディングブロックをコンバインし、前記コンバインされたコーディングブロックを利用してＣＲＣ(Cyclic Redundancy Check)演算を遂行し、誤りが発生したか否かを確認する。
【０００８】
一方、前記ＩＲ方式では、送信側は最初伝送と再伝送に相異なるフォーマットを使用する。ｎビット(bits)の使用者データ(user data)がチャネルコーディングを経てｍ個のシンボルに生成されたら、前記送信側は最初伝送で前記ｍ個のシンボルのうち一部のみを伝送し、再伝送で順次的に残りのシンボルを伝送する。即ち、最初伝送と再伝送のコーディングレートが相異である。これに受信側は最初伝送されたコーディングブロックの後部分に再伝送分を付けて、コーディングレートが高いコーディングブロックを構成した後、誤り訂正(error correction)を実行する。前記ＩＲ方式で前記最初伝送とそれぞれの再伝送をバージョン番号(version number)により区分する。例えば、最初伝送のバージョン番号が１、次の再伝送のバージョン番号が２、その次の再伝送のバージョン番号が３と名づけられ、受信側は前記バージョン情報を利用して最初伝送されたコーディングブロックと再伝送されたコーディングブロックを正しくコンバインすることができる。
【０００９】
また、前記ＩＲ方式は‘部分ＩＲ(partial IR)’方式と‘全体ＩＲ(full ＩＲ)’方式に分類される。前記部分ＩＲ方式は、再伝送時に最初伝送に使用されたフォーマットのうち、一部情報を同一に使用する方式であり、前記全体ＩＲ方式は最初伝送分と再伝送分間に全く相異なるフォーマットを使用する方式を意味する。前記全体ＩＲ方式を使用する場合には、リダンダンシー情報(redundancy information)による利得を最大に獲得することが可能であるが、一部の全体ＩＲ方式では再伝送分のみでは受信データを復号することが不可能であるとの短所を有している。このような特性を“自己デコーディング可能(self-decodable)でない”という。ターボ符号器(turbo encoder)を利用してチャネルコーディングを遂行した場合には、最初伝送時にシステマテックビット(systematic bit)は穿孔しないので、前記全体ＩＲ方式を利用して再伝送を遂行すると、システマテックビットは再伝送されないようになる。このような場合、パリティビット(parity bit)のみで構成された再伝送データのビット数がチャネルコーディング前の情報ビットの大きさより比較的大きくない場合、自己デコーディング可能(self-decodable)でないようになる。従って、自己デコーディング可能でない再伝送データを伝送する場合には、常に最初伝送分と再伝送分をソフトコンバインして受信データを復号しなければ正常的な受信が不可能である。
【００１０】
２．ＨＡＲＱ方式
通常的なＳＡＷ ＡＲＱ方式の場合、ノードＢは以前に伝送したパケットに対する認知(Acknowledgement、以下、‘ＡＣＫ’)情報を受信しなければ、次のパケットを伝送しない。このように以前パケットに対するＡＣＫ情報を受信した後のみに、次のパケットを伝送するので、ノードＢでパケットを現在伝送できるにもかかわらずＡＣＫ情報を待機すべき場合が発生することがある。そこで、前記ｎチャネルＳＡＷ ＨＡＲＱ方式は以前に伝送したパケットに対するＡＣＫ情報を受信しない状態でも多数のパケットを連続的に伝送して、無線リンクの使用効率を高めるようにする。即ち、前記ｎチャネルＳＡＷ ＨＡＲＱ方式ではＵＥとノードＢ間にｎ個の論理的なチャネル(logical channel)を設定し、特定時間、または明示的なチャネル番号に前記ｎ個の論理的なチャネルを識別することにより、ＵＥは任意の時点で受信したパケットがどのチャネルに属したパケットであるかを把握することができる。そして前記ＵＥは受信されるべき順序通りにパケットを再構成するか、該当パケットをソフトコンバインするなど必要な処置を取ることができる。
【００１１】
ここで、前記ｎチャネルＳＡＷ ＨＡＲＱ方式の動作を前記図１を参照して具体的に説明すると、次のようである。先ず、ＵＥ１３０と任意のノードＢ、一例にノードＢ１１４間にｎチャネルＳＡＷ ＨＡＲＱ方式、特に４-チャネルＳＡＷ ＨＡＲＱ方式が遂行されており、前記４個のチャネルそれぞれには１から４まで論理的識別子が付与されたと仮定する。また、前記ＵＥ１３０とノードＢ１１４は各チャネルに対応される混和自動再伝送プロセッサ(以下、‘ＨＡＲＱプロセッサ’)を備える。前記ノードＢ１１４は最初伝送するコーディングブロックに１というチャネル識別子を付与して前記ＵＥ１３０に伝送する。ここで、前記チャネル識別子は明示的に付与されることもでき、特定時間に暗視されることもできる。前記チャネル識別子１を付与して伝送したコーディングブロックに誤りが発生した場合、前記ＵＥ１３０は前記チャネル識別子１と対応されるＨＡＲＱプロセッサ、即ちＨＡＲＱプロセッサ１に前記コーディングブロックを伝達し、チャネル１に対する否定的認知(Negative ACK、以下、‘ＮＡＣＫ’)情報を前記ノードＢ１１４に伝送する。すると、前記ノードＢ１１４はチャネル１のコーディングブロックに対するＡＣＫ情報が受信されたか否かにかかわらず、後続コーディングブロックをチャネル２を通じて伝送することができる。
【００１２】
もし、後続コーディングブロックにも誤りが発生したら、前記ノードＢ１１４は前記後続コーディングブロックも対応されるＨＡＲＱプロセッサに伝達する。前記ノードＢ１１４はチャネル１のコーディングブロックに対するＮＡＣＫ情報を前記ＵＥ１３０から受信すると、チャネル１に該当コーディングブロックを再伝送し、これに前記ＵＥ１３０は前記再伝送したコーディングブロックのチャネル識別子を通じて以前にチャネル１を通じて伝送したコーディングブロックの再伝送分であることを感知し、前記再伝送コーディングブロックをＨＡＲＱプロセッサ１に伝達する。前記再伝送分コーディングブロックを受信したＨＡＲＱプロセッサ１は、既に貯蔵している最初伝送されたコーディングブロックと前記再伝送コーディングブロックをソフトコンバインする。
【００１３】
このようにｎチャネルＳＡＷ ＨＡＲＱ方式では、チャネル識別子とＨＡＲＱプロセッサを一対一対応させる方式に、ＡＣＫ情報が受信されるまで、使用者データ伝送を遅延させなくても、最初伝送と再伝送を適切に対応させることができる。
【００１４】
上述したようなＨＡＲＱ方式を効率的に使用するために、前記ＨＳＤＰＡ通信システムは前記ＨＡＲＱプロトコル(protocol)スタック(stack)を二つの階層(layer)に区分する。即ち、前記ＨＳＤＰＡ通信システムは、データをソフトコンバインするために必要なソフトバッファ(soft buffer)及び誤り訂正(error correction)機能は、物理階層(physical layer)に位置するようにし、ＡＣＫ/ＮＡＣＫを決定し、ＡＣＫ/ＮＡＣＫ情報を受信してソフトコンバインを遂行するか否かを決定する機能は、媒体接続制御(Media Access Control、以下、‘ＭＡＣ’)階層に位置するようにしている。
【００１５】
一方、ＵＭＴＳ陸上無線接続ネットワーク(UMTS Terrestrial Radio Access Network、以下、‘ＵＴＲＡＮ’)は、前記図１に示しているように、ノードＢとＲＮＣを含むが、物理階層はノードＢに位置するようにし、ＨＳＤＰＡ通信システムのＭＡＣ階層、即ち、ＭＡＣ-ｈｓ(MAC-high speed)階層は一般的なＭＡＣ階層とは異なり、ノードＢに位置するようにする。ここで、前記ＭＡＣ-ｈｓ階層は前記ＨＳＤＰＡ通信システムのために新たに提案された階層として、前記ＨＡＲＱ方式を支援するためのＡＣＫ/ＮＡＣＫ情報処理機能を担当する。前記ＨＳＤＰＡ通信システムの場合、ノードＢにＡＣＫ/ＮＡＣＫ情報処理機能を位置させることにより、迅速なＨＡＲＱ処理を遂行している。
【００１６】
勿論、前記ＡＣＫ/ＮＡＣＫ情報処理機能がＲＮＣにも位置するように制御することができ、この場合、ＡＣＫ/ＮＡＣＫ情報がノードＢを通じてＲＮＣに伝達され、前記ＲＮＣが前記ノードＢを通じて伝達されたＡＣＫ/ＮＡＣＫ情報を有して再伝送を遂行するか否かを決定してノードＢに伝達する。するとノードＢがＲＮＣから伝達された決定された結果を利用して実際にデータ再伝送を遂行するか否かを判断するようになるが、この時、ノードＢとＲＮＣ間のＨＡＲＱ方式遂行のためのシグナルリング(signaling)にかかる遅延時間(delay time)が発生するようになる。前記ノードＢとＲＮＣ間のＨＡＲＱ方式遂行のためのシグナルリング遅延時間は、一つのフレーム(frame)、即ち２ｍｓ程度に到達して比較的大きな遅延に作用するようになる。このようにＨＡＲＱ方式遂行のための遅延時間を最小化するために、前記ＨＳＤＰＡ通信システムではノードＢがＡＣＫ/ＮＡＣＫ情報を処理する機能を遂行するように制御している。
【００１７】
一方、前記ＨＳＤＰＡ通信システムと共に逆方向通信効率を向上させるための逆方向通信システムに対する研究が活発に進行されている。即ち、逆方向データ伝送チャネルである強化逆方向専用チャネル(Enhanced Uplink Dedicated Channel、以下、‘ＥＵＤＣＨ’)を使用して逆方向データ伝送を可能にする逆方向通信システムに対する研究が活発に進行されている。そして、前記ＥＵＤＣＨを使用する逆方向通信システムは上述したようなＨＳＤＰＡ通信システムで使用している方式をそのままに適用することができる。即ち、前記ＥＵＤＣＨを使用する逆方向通信システムはＨＳＤＰＡ方式で採用したＡＭＣ方式とＨＡＲＱ方式などを使用することができ、また前記ＨＳＤＰＡ通信システムのＴＴＩより比較的短い周期のＴＴＩを使用することができる。前記ＴＴＩは上述したように一つのコーディングされたブロックが伝送される単位時区間であり、順方向チャネルに対するスケジューリング(scheduling)はノードＢで遂行してスケジューリングに応じた遅延を防止する。
【００１８】
上述したように、前記ＥＵＤＣＨを使用する逆方向通信システムは逆方向にデータを伝送し、前記ＨＳＤＰＡ通信システムで説明したように前記逆方向に伝送されたデータに対してＨＡＲＱ方式支援が必要となる。しかし、現在前記ＥＵＤＣＨを使用する逆方向通信システムに対しては具体的に提案されていない状態であり、ＨＡＲＱ方式支援のためにも具体的に提案されていない状態である。
【発明の開示】
【発明が解決しようとする課題】
【００１９】
従って、本発明の目的は、符号分割多重接続通信システムで逆方向データを再伝送するシステム及び方法を提供することにある。
本発明の他の目的は、符号分割多重接続通信システムでＵＥの無線チャネル環境に相応するように逆方向データを再伝送するシステム及び方法を提供することにある。
【課題を解決するための手段】
【００２０】
前記目的を達成するための本発明の方法は、基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、を含む符号分割多重接続通信システムで、前記使用者端末機が逆方向データを伝送する方法において、前記使用者端末機が前記基地局の領域内の前記ソフトハンドオーバー領域ではない非ソフトハンドオーバー領域、または前記ソフトハンドオーバー領域に存在するかを判断する過程と、前記判断結果、前記使用者端末機が前記非ソフトハンドオーバー領域に存在するとき、前記逆方向データを予め設定された第１伝送時区間で前記基地局に伝送する過程と、前記判断結果、前記使用者端末機が前記ソフトハンドオーバー領域に存在するとき、前記逆方向データを前記第１伝送時区間と相異なる第２伝送時区間で前記基地局及び隣接基地局に伝送する過程と、を含むことを特徴とする。
【００２１】
前記目的を達成するための本発明の他の方法は、基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、含む符号分割多重接続通信システムで、前記基地局及び隣接基地局で使用者端末機が伝送した逆方向データに対する認知情報、または否定的認知情報を伝送する方法において、前記使用者端末機が前記基地局領域内の前記ソフトハンドオーバー領域ではない非ソフトハンドオーバー領域、または前記ソフトハンドオーバー領域に存在するか否かを判断する過程と、前記判断結果、使用者端末機が前記非ソフトハンドオーバー領域に存在する場合、前記逆方向データに対する認知情報、または否定的認知情報を決定し、前記決定した認知情報、または否定的認知情報を前記使用者端末機に伝送する過程と、前記判断結果、前記使用者端末機が前記ソフトハンドオーバー領域に存在する場合、前記逆方向データに対する認知情報、または否定的認知情報を決定し、前記決定した認知情報、または否定的認知情報を前記無線ネットワーク制御器に伝送する過程と、前記認知情報、または否定的認知情報を伝送した後、前記無線ネットワーク制御器から前記逆方向データに対する最終認知情報、または最終否定的認知情報を受信する過程と、前記最終認知情報、または最終否定的認知情報を前記使用者端末機に伝送する過程と、を含むことを特徴とする。
【００２２】
前記目的を達成するための本発明の他の方法は、基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、を含む符号分割多重接続通信システムで、前記無線ネットワーク制御器が前記使用者端末機が伝送した逆方向データに対する最終認知情報、または最終否定的認知情報を伝送する方法において、前記使用者端末機が前記ソフトハンドオーバー領域に存在することを感知すると、前記基地局及び隣接基地局に前記使用者端末機が前記ソフトハンドオーバー領域に存在することを通報する過程と、前記使用者端末機が前記ソフトハンドオーバー領域に存在することを通報した後、前記基地局及び隣接基地局から前記逆方向データに対する認知情報、または否定的認知情報を受信する過程と、前記基地局及び隣接基地局それぞれから受信した認知情報、または否定的認知情報を考慮して前記逆方向データに対する最終認知情報、または最終否定的認知情報を決定し、前記決定した最終認知情報、または最終否定的認知情報を前記基地局及び隣接基地局に伝送する過程と、を含むことを特徴とする。
【００２３】
前記目的を達成するための本発明のシステムは、基地局と、前記基地局の領域内の使用者端末機と、前記基地局に隣接し、前記基地局と重畳するソフトハンドオーバー領域を有する隣接基地局と、前記基地局と前記隣接基地局と接続された無線ネットワーク制御器と、を含む符号分割多重接続通信システムで、前記使用者端末機が逆方向データを伝送するシステムにおいて、前記基地局領域内の前記ソフトハンドオーバー領域ではない非ソフトハンドオーバー領域、または前記ソフトハンドオーバー領域に存在するかを判断し、前記判断結果、前記非ソフトハンドオーバー領域に存在するとき、前記逆方向データを予め設定された第１伝送時区間で前記基地局に伝送し、前記判断結果、前記ソフトハンドオーバー領域に存在するとき、前記逆方向データを前記第１伝送時区間と相異なる第２伝送時区間で前記基地局に伝送する前記使用者端末機と、前記使用者端末機が前記非ソフトハンドオーバー領域に存在する場合、前記逆方向データに対する認知情報、または否定的認知情報を決定し、前記決定した認知情報、または否定的認知情報を前記使用者端末機に伝送し、前記使用者端末機が前記ソフトハンドオーバー領域に存在する場合、前記逆方向データに対する認知情報、または否定的認知情報を決定し、前記決定した認知情報、または否定的認知情報を前記無線ネットワーク制御器に伝送し、前記認知情報、または否定的認知情報を伝送した後、前記無線ネットワーク制御器から前記逆方向データに対する最終認知情報、または最終否定的認知情報を受信して前記使用者端末機に伝送する前記基地局と、前記使用者端末機が前記ソフトハンドオーバー領域に存在することを感知すると、前記使用者端末機と前記基地局に前記使用者端末機が前記ソフトハンドオーバー領域に存在することを通報し、以後、基地局から前記逆方向データに対する認知情報、または否定的認知情報を受信し、前記基地局それぞれから受信した認知情報、または否定的認知情報を考慮して前記逆方向データに対する最終認知情報、または最終否定的認知情報を決定して前記基地局に伝送する前記無線ネットワーク制御器と、含むことを特徴とする。
【発明の効果】
【００２４】
本発明は、ＥＵＤＣＨを使用する逆方向通信システムでＵＥの無線チャネル環境、即ちＵＥがソフトハンドオーバー領域に存在するか、または非ソフトハンドオーバー領域に存在するかによって、ＨＡＲＱ方式遂行関連機能をノードＢとＲＮＣに分散させ安定的な逆方向データ再伝送を可能にする利点を有する。また、前記ＵＥがソフトハンドオーバー領域に存在する場合、ＲＮＣで逆方向データに対するＡＣＫ/ＮＡＣＫ情報決定を遂行することにより発生することができる時間遅延に対してＴＴＩを調節して前記ＡＣＫ/ＮＡＣＫ情報決定遂行に所要される時間を十分に確保することにより、安定的な逆方向データ再伝送を可能にする利点を有する。
【発明を実施するための最良の形態】
【００２５】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
図２は本発明の実施形態に従う強化逆方向専用チャネルを使用する逆方向通信システムを概略的に示した図である。
前記図２の説明前、前記従来技術部分で説明したように前記強化逆方向専用チャネル(Enhanced Uplink Dedicated Channel、以下、‘ＥＵＤＣＨ’)を使用する逆方向通信システムは、高速順方向パケット接続(High Speed Downlink Packet Access、以下、‘ＨＳＤＰＡ’)通信システムと共に、通信効率を向上させるために研究が進行されている通信システムである。即ち、逆方向データ伝送チャネルであるＥＵＤＣＨを使用して逆方向データ伝送を可能にするものであり、前記ＥＵＤＣＨを使用する逆方向通信システムは前記従来技術部分で説明したように、ＨＳＤＰＡ通信システムで使用している方式をそのままに適用することができる。即ち、前記ＥＵＤＣＨを使用する逆方向通信システムは適応的変調及びコーディング(Adaptive Modulation and Coding、以下、‘ＡＭＣ’)方式と複合自動再伝送要求(Hybrid Automatic Retransmission Request、以下、‘ＨＡＲＱ’)方式などを使用することができる。
【００２６】
本発明は前記ＨＳＤＰＡ通信システムで使用している方式のうち、特にＨＡＲＱ方式を前記ＥＵＤＣＨを使用する逆方向通信システムに適用する場合を考慮する。前記ＥＵＤＣＨを使用する逆方向通信システムでＨＡＲＱ方式を使用する場合を考慮すると、次のようである。先ず、使用者端末機(User Equipment、以下、‘ＵＥ’)が伝送時区間(Transmit time Interval、以下、‘ＴＴＩ’)間データを伝送する。すると、ＵＭＴＳ陸上無線接続ネットワーク(UMTS Terrestrial Radio Access Network、以下、‘ＵＴＲＡＮ’)は前記ＵＥから受信されたデータに誤りが発生したか否かを判断し、前記判断結果、前記受信データに誤りが発生しなかった場合、認知(以下、‘ＡＣＫ’)情報を、これとは反対に前記受信データに誤りが発生した場合、否定的認知(以下、‘ＮＡＣＫ’)情報を前記ＵＥに伝送する。
【００２７】
前記ＵＴＲＡＮからＡＣＫ情報を受信する場合、前記ＵＥは前記伝送したデータに誤りが発生しなかったと判断し、これとは異なり前記ＵＴＲＡＮからＮＡＣＫ情報を受信する場合、前記ＵＥは前記伝送したデータに誤りが発生したと判断する。このように伝送したデータに誤りが発生したと判断することによって、前記ＵＥは前記伝送したデータを前記ＵＴＲＡＮに再伝送し、前記ＵＴＲＡＮは前記ＵＥが再伝送したデータと前記誤りが発生したデータをソフトコンバイン(soft combining)して誤り訂正率(error correction rate)を増加させるようになる。
【００２８】
一方、前記ＨＳＤＰＡ通信システムとＥＵＤＣＨを使用する逆方向通信システムは、順方向(downlink)通信システムと逆方向(uplink)通信システムとの差異点以外に、ソフトハンドオーバー(soft handover)支援面で差異点を有する。即ち、前記ＨＳＤＰＡ通信システムはソフトハンドオーバーを支援しない反面、前記ＥＵＤＣＨを使用する逆方向通信システムはソフトハンドオーバーを支援する。言い換えれば、前記ＨＳＤＰＡ通信システムはＨＳＤＰＡ方式にサービスする一つのセル(cell)のみでそのサービスが遂行され、前記ＨＳＤＰＡ方式のサービスを遂行する該当チャネルのみに対してＨＡＲＱ方式を支援するが、前記ＥＵＤＣＨを使用する逆方向通信システムは同時に多数のセルでＥＵＤＣＨサービスが遂行される場合、該当チャネルそれぞれに対してＨＡＲＱ方式を支援するものである。前記ＥＵＤＣＨを使用する逆方向通信システムがソフトハンドオーバーを支援することは、高速データ伝送も重要であるが、ＵＥがセル内のどの位置に存在しても安定的なデータ伝送をサービスするためである。
【００２９】
このように、ＥＵＤＣＨを使用する逆方向通信システムはソフトハンドオーバーを支援するので、ＨＳＤＰＡ通信システムのＨＡＲＱ方式をそのままに適用することは不可能であることに考慮され、これを図２を参照して具体的に説明すると、次のようである。
前記図２を参照すると、先ず、ＵＥ２０４はセル、即ち基地局(Node B、以下、‘ノードＢ’)２０２のサービス領域と、ノードＢ２０３のサービス領域の重畳領域、即ちソフトハンドオーバー領域(soft handover region)に存在すると仮定する。前記ＵＥ２０４がソフトハンドオーバー領域に存在すると、前記ＵＥ２０４は前記ノードＢ２０２と前記ノードＢ２０３すべてにデータを伝送するようになる。ここで、前記ＵＥ２０４が逆方向に伝送するデータは、前記図２に示しているように、前記ノードＢ２０２に伝送するＥＵＤＣＨデータ２１２と、前記ノードＢ２０３に伝送するＥＵＤＣＨデータ２２２である。ここで、前記“ＥＵＤＣＨデータ”とはＥＵＤＣＨを通じて伝送するデータを意味する。上述したように、ＨＳＤＰＡ通信システムの場合、順方向データに対するＡＣＫ/ＮＡＣＫ情報を決定する機能はＵＥに位置しており、前記ＵＥが決定したＡＣＫ/ＮＡＣＫ情報を処理する機能はノードＢに位置している。従って、前記ＥＵＤＣＨを使用する逆方向通信システムでは、前記ＨＳＤＰＡ通信システムのようにＡＣＫ/ＮＡＣＫ情報を処理する機能を含むＨＡＲＱ機能がノードＢに位置すると仮定する。
【００３０】
すると、前記ノードＢ２０２は前記ＵＥ２０４から受信したＥＵＤＣＨデータ２１２に対する誤りが発生したか否かを判断し、前記判断結果、誤りが発生しなかった場合、ＡＣＫ情報を前記ＵＥ２０４に伝送し、誤りが発生した場合、ＮＡＣＫ情報(ＡＣＫ/ＮＡＣＫ)２１３を前記ＵＥ２０４に伝送する。前記図２では前記ノードＢ２０２がＵＥ２０４から受信したＥＵＤＣＨデータ２１２に誤りが発生しなかったと仮定し、従って、前記ノードＢ２０２は前記ＵＥ２０４にＡＣＫ情報を伝送する。
【００３１】
また、前記ノードＢ２０３は前記ＵＥ２０４から受信したＥＵＤＣＨデータ２２２に対して誤りが発生したか否かを判断し、前記判断結果、誤りが発生しなかった場合、ＡＣＫ情報を前記ＵＥ２０４に伝送し、誤りが発生した場合、ＮＡＣＫ情報(ＡＣＫ/ＮＡＣＫ２２３)を前記ＵＥ２０４に伝送する。前記図２では前記ノードＢ２０３がＵＥ２０４から受信したＥＵＤＣＨデータ２２２に誤りが発生したと仮定し、従って、前記ノードＢ２０３は前記ＵＥ２０４にＮＡＣＫ情報を伝送する。
【００３２】
このように、前記ノードＢ２０２とノードＢ２０３が伝送するＡＣＫ/ＮＡＣＫ情報が相異なる場合、即ち、前記ノードＢ２０２はＡＣＫ情報を伝送し、前記ノードＢ２０３はＮＡＣＫ情報を伝送する場合、無線ネットワーク制御器(Radio Network Controller、以下、‘ＲＮＣ’)２０１はマクロダイバーシティ(macro diversity)を獲得するために誤りがないデータのみを受信するので、前記ノードＢそれぞれで伝送するＡＣＫ/ＮＡＣＫ情報が相異なる場合であっても別の問題点が発生しない。即ち、前記ノードＢ２０２は前記ＵＥ２０４から受信したＥＵＤＣＨデータ２１２をフレームプロトコル(frame protocol)のデータフレーム(data frame)２１１を通じて前記ＲＮＣ２０１に伝送し、前記ノードＢ２０３は受信したＥＵＤＣＨデータ２２２に誤りが発生したので、前記ＥＵＤＣＨデータ２２２を前記ＲＮＣ２０１に伝送しない。このように前記ＲＮＣ２０１は前記ノードＢ２０２から正常的なＥＵＤＣＨデータ２１２を受信するので、前記ノードＢそれぞれで伝送するＡＣＫ/ＮＡＣＫ情報が相異なる場合であっても、別の問題点が発生しないようになる。
【００３３】
しかし、前記ＵＥ２０４の場合、同一のデータ、即ちＥＵＤＣＨデータ２１２とＥＵＤＣＨデータ２２２に対して相異なるＡＣＫ/ＮＡＣＫ情報を受信するようになる場合、問題が発生するようになる。即ち、前記ＵＥ２０４は同一のデータであるＥＵＤＣＨデータ２１２とＥＵＤＣＨデータ２２２に対して前記ノードＢ２０２からはＡＣＫ情報を受信し、前記ノードＢ２０３からはＮＡＣＫ情報を受信するようになり、結局、同一のデータに対して相反されたＡＣＫ/ＮＡＣＫ情報を受信するようになることにより、ＨＡＲＱ方式を適用するために再伝送を遂行するか否かを判断できないようになる。
【００３４】
勿論、前記とは異なり、前記ＵＥ２０４がＥＵＤＣＨデータ２１２とＥＵＤＣＨデータ２２２それぞれに対するＡＣＫ/ＮＡＣＫ情報のうち、ＡＣＫ情報のみに対して応答する場合、ＨＡＲＱ方式を適用することができる。しかし、このように前記ＵＥ２０４がＥＵＤＣＨデータ２１２とＥＵＤＣＨデータ２２２それぞれに対するＡＣＫ/ＮＡＣＫ情報のうち、ＡＣＫ情報のみに対して応答する場合であっても、ノードＢ、即ち、ノードＢ２０２とノードＢ２０３それぞれのソフトバッファ(soft buffer)に貯蔵されているデータが一致しないという問題が発生する。これを詳細に説明すると、前記ＵＥ２０４が前記ノードＢ２０２からはＡＣＫ情報を受信し、前記ノードＢ２０３からはＮＡＣＫ情報を受信するので、前記ＵＥ２０４はさらに新たなＥＵＤＣＨデータを伝送するようになる。一方、前記ノードＢ２０３は以前に受信したＥＵＤＣＨデータに対してＮＡＣＫ情報を伝送した状態であるので、前記ノードＢ２０３が備えているソフトバッファには以前に受信した、誤りが発生したＥＵＤＣＨデータが貯蔵されている状態である。従って、前記ノードＢ２０３は前記誤りが発生したＥＵＤＣＨデータに対する再伝送を待機している。
【００３５】
しかし、前記ＵＥ２０４は前記以前に伝送したＥＵＤＣＨデータではない新たなＥＵＤＣＨデータを伝送するので、前記ＮＡＣＫ情報を伝送したノードＢ２０３に以前に伝送したＥＵＤＣＨデータではない新たなＥＵＤＣＨデータが伝送されることを知らせるべきであり、従って、前記新たなＥＵＤＣＨデータの伝送を知らせる制御シグナルリング(signaling)情報が必要になる。しかし、前記ＵＥ２０４はソフトハンドオーバー領域に存在するので、前記ソフトハンドオーバー領域の特性上、チャネル環境が非常に劣悪である。従って、前記制御シグナルリング情報が信頼できるように伝送されることが不可能になる。従って、前記ＵＥ２０４が制御シグナルリング情報を信頼できるように伝送するためには、比較的高い送信電力(transmit power)に前記制御シグナルリング情報を伝送すべきであり、このように高い送信電力を有する制御シグナルリングは他のチャネルに対する干渉(interference)成分として作用することができる。そのため、ＥＵＤＣＨを使用する逆方向通信システムのＨＡＲＱ方式は既存のＨＳＤＰＡ通信システムのＨＡＲＱ方式と相異なる形態に具現されるべきである。
【００３６】
従って、本発明はＥＵＤＣＨを使用する逆方向通信システムに相応するＨＡＲＱ方式を新たに提案する。即ち、本発明はＵＥがソフトハンドオーバー領域に存在する場合とＵＥがソフトハンドオーバー領域に存在しない場合、即ち、前記ＵＥが非ソフトハンドオーバー領域(non soft hand over region)に存在する場合全てを考慮したＨＡＲＱ方式を提案する。本発明ではＥＵＤＣＨを使用する逆方向通信システムに相応するＨＡＲＱ方式のために次のような３種類の方式を提案する。
【００３７】
一番目の方式は、前記ＵＥがソフトハンドオーバー領域に存在している場合には比較的短いＴＴＩ(以下、“ＴＴＩSHORT”)を適用し、前記ＵＥが非ソフトハンドオーバー領域に存在している場合には、比較的長いＴＴＩ(以下、“ＴＴＩLONG”)を適用するものである。
非ソフトハンドオーバー領域にあるＵＥは比較的良好なチャネル環境を有するＵＥであるので、比較的大きな送信電力を利用して高速データ伝送を遂行することができる。従って、ＨＳＤＰＡ通信システムのように、ＴＴＩSHORTの周期にデータを伝送するようになり、ソフトハンドオーバー領域にあるＵＥは比較的劣悪なチャネル環境を有するＵＥであるので、前記非ソフトハンドオーバー領域に存在するＵＥのように比較的大きな送信電力を使用するようになると、むしろＵＥのcoverageを減るようになるので、ＴＴＩLONGの周期にデータを伝送するようになる。ここで、前記ＴＴＩSHORTの間ＨＡＲＱ方式を遂行すると、データを送受信するのにかかる遅延時間を最小化させるようになって、高速のＨＡＲＱ動作が可能になる。従って、前記ＥＵＤＣＨを使用する逆方向通信システムの通信効率を増加させることができる。
【００３８】
また、ＴＴＩLONGの間ＨＡＲＱ方式を遂行すると、データ送受信遅延時間は前記ＴＴＩSHORTの間ＨＡＲＱ方式を遂行する場合に比べて長くなるが、要求されるＨＡＲＱ動作時間が十分に確保され、ノードＢ間のＡＣＫ/ＮＡＣＫ情報を一致させることができる時間を確保するようになるものである。このようにＵＥがソフトハンドオーバー領域に存在するか、またはＵＥが非ソフトハンドオーバー領域に存在するかによって、即ちＵＥのチャネル環境が劣悪であるか、または良好であるかによって、ＴＴＩを可変させることを可能にすることにより、ＵＥのチャネル環境が良好な場合には高速データ伝送を、ＵＥのチャネル環境が劣悪な場合には安定的なデータ伝送を可能にする。
【００３９】
二番目の方式は、前記ＵＥがソフトハンドオーバー領域に存在している場合には、ＡＣＫ/ＮＡＣＫ情報を決定する機能をＲＮＣに位置させるように制御し、前記ＵＥが非ソフトハンドオーバー領域に存在している場合には、ＡＣＫ/ＮＡＣＫ情報を決定する機能をノードＢに位置させるように制御することである。
前記二番目の方式の説明前、前記従来技術で説明したように、ＨＳＤＰＡ通信システムのＨＡＲＱプロトコルスタック(stack)構造は二つの層(layer)に分離されている。これをもう一度説明すると、前記ＨＳＤＰＡ通信システムは、データをソフトコンバインするために必要なソフトバッファ及び誤り訂正(error correction)機能は、物理階層(physical layer)に位置するようにし、ＡＣＫ/ＮＡＣＫ情報を決定し、ＡＣＫ/ＮＡＣＫ情報を受信してソフトコンバインを遂行するか否かを決定する機能は、媒体接続制御(Media Access Control、以下、‘ＭＡＣ’)階層に位置するようにしている。一方、ＵＭＴＳ陸上無線接続ネットワークは前記図１に示しているようにノードＢとＲＮＣ構造を有するが、物理階層はノードＢに位置するようにし、ＨＳＤＰＡ通信システムのＭＡＣ階層、即ちＭＡＣ-ｈｓ(MAC-high speed)階層は一般的なＭＡＣ階層とは異なり、ノードＢに位置するようにする。ここで、前記ＭＡＣ-ｈｓ階層は前記ＨＳＤＰＡ通信システムのために新たに提案された階層として、ＨＡＲＱ方式を支援するためのＡＣＫ/ＮＡＣＫ情報処理機能を担当する。前記ＨＳＤＰＡ通信システムの場合、ノードＢにＡＣＫ/ＮＡＣＫ情報処理機能を位置させることにより、迅速なＨＡＲＱ処理を遂行している。勿論、前記ＡＣＫ/ＮＡＣＫ情報処理機能がＲＮＣにも位置することができ、この場合、ＡＣＫ/ＮＡＣＫ情報がノードＢを通じてＲＮＣに伝達され、前記ＲＮＣが前記ノードＢを通じて伝達されたＡＣＫ/ＮＡＣＫ情報に基づいて再伝送を遂行するか否かを決定し、決定された結果をさらにノードＢに伝達する。すると、ノードＢがＲＮＣから伝達された再伝送に関する情報を利用して実際データを再伝送するか否かを判断するようになるが、この時、ノードＢとＲＮＣ間のＨＡＲＱ方式遂行のためのシグナルリングにかかる遅延時間が発生するようになる。前記ノードＢとＲＮＣ間のＨＡＲＱ方式遂行のためのシグナルリング遅延時間は、大略一つのフレーム(frame)、即ち、２ｍｓ程度に到達して比較的大きな遅延に作用するようになる。このように、ＴＴＩを考慮するとき、前記ＨＡＲＱ方式遂行のための遅延時間は比較的大きな値になり、従って、前記ＨＳＤＰＡ通信システムでは前記ＴＴＩに比べて前記ＨＡＲＱ方式遂行のための遅延時間を最小化するために、ノードＢにＡＣＫ/ＮＡＣＫ情報を処理する機能、即ち、ＡＣＫ/ＮＡＣＫ情報を処理する機能を含むＨＡＲＱプロセス機能を位置させている。
【００４０】
そして、本発明ではＵＥが非ソフトハンドオーバー領域に存在する場合には、ノードＢにソフトコンバイン/復号機能とＡＣＫ/ＮＡＣＫ情報を決定する機能を全て位置させ、ＵＥがソフトハンドオーバー領域に存在する場合には、ノードＢにソフトコンバイン/復号機能を、ＲＮＣにＡＣＫ/ＮＡＣＫ情報を決定する機能を分離して位置させるようにする。勿論、前記従来技術部分で説明したように、ＡＣＫ/ＮＡＣＫ情報を決定する機能をＲＮＣに位置させる場合、ＡＣＫ/ＮＡＣＫ情報がノードＢを通じてＲＮＣに伝達され、前記ＲＮＣが前記ノードＢを通じて伝達されたＡＣＫ/ＮＡＣＫ情報を利用して再伝送を遂行するか否かを決定し、前記決定された結果をさらにノードＢに伝達する。前記ノードＢはＲＮＣから伝達された前記決定された結果に基づいて実際データの再伝送を遂行するか否かを判断するようになるが、この時、ノードＢとＲＮＣ間のＨＡＲＱ方式遂行のためのシグナルリングにかかる遅延時間が発生するようになるとの問題点があった。しかし、本発明は前記従来技術のＲＮＣのＡＣＫ/ＮＡＣＫ情報決定に応じた遅延時間を前記一番目の方式で説明したように、ＴＴＩLONGを適用して解決するので、前記遅延時間問題は解決される。
【００４１】
ここで、図３及び図４を参照して前記二番目の方式を説明する。
前記図３はＵＥが非ソフトハンドオーバー領域に存在する場合、ＨＡＲＱプロトコルスタック構造を概略的に示した図である。
前記図３を参照すると、ＵＥが非ソフトハンドオーバー領域に存在するので、ソフトコンバイン/復号機能とＡＣＫ/ＮＡＣＫ情報を決定するＨＡＲＱ３２０機能全てがノードＢ３１０に存在する。即ち、前記ソフトコンバイン/復号機能のためのソフトバッファ３２２とＥＵＤＣＨデコーダ(EDUCH decoder)３２３と、ＡＣＫ/ＮＡＣＫ情報を決定する機能のためのＡＣＫ/ＮＡＣＫ情報決定器３２１と、前記ＡＣＫ/ＮＡＣＫ情報決定器３２１で決定したＡＣＫ/ＮＡＣＫ情報をＵＥに伝送するＡＣＫ/ＮＡＣＫ情報送信器３１１全てがノードＢ３１０に存在する。前記ノードＢ３１０がＵＥからＥＵＤＣＨデータを受信すると、前記ＡＣＫ/ＮＡＣＫ情報決定器３２１は前記ＵＥから受信したＥＵＤＣＨデータに誤りが発生したか否かを判断してＡＣＫ/ＮＡＣＫ情報を決定する。ここで、前記ＡＣＫ/ＮＡＣＫ情報決定器３２１は前記ＵＥから受信したＥＵＤＣＨデータに誤りが発生したか否かはＣＲＣ(Cyclic Redundancy Check)検査結果に基づいて判断し、前記ＣＲＣ検査結果、誤りが発生しなかった場合にはＡＣＫ情報を、前記ＣＲＣ検査結果、誤りが発生した場合にはＮＡＣＫ情報を決定する。
【００４２】
また、前記ＡＣＫ/ＮＡＣＫ情報決定器３２１は前記ＣＲＣ検査後、前記ＵＥから受信したＥＵＤＣＨデータを前記ソフトバッファ３２２に伝達して前記ソフトバッファ３２２に貯蔵されるように制御する(data frame、CRC check result)(３０３)。また、前記ＡＣＫ/ＮＡＣＫ情報決定器３２１は前記決定したＡＣＫ/ＮＡＣＫ情報を前記ＡＣＫ/ＮＡＣＫ情報送信器３１１に伝達する(３０４)。
【００４３】
一方、前記ＡＣＫ/ＮＡＣＫ情報決定器３２１は正常的なＥＵＤＣＨデータは前記ノードＢ３１０に連結されているＲＮＣにIubインターフェース(interface)、即ちフレームプロトコル(frame protocol)のデータフレーム(data frame)３０２を通じて伝達する。また、前記ＥＵＤＣＨデコーダ３２３は前記ＵＥから受信したＥＵＤＣＨデータを予め設定されているデコーディング方式に相応するようにデコーディングする。
【００４４】
前記図３ではＵＥが非ソフトハンドオーバー領域に存在する場合のＨＡＲＱプロトコルスタック構造を説明したが、次に図４を参照してＵＥがソフトハンドオーバー領域に存在する場合のＨＡＲＱプロトコルスタック構造を説明する。
前記図４はＵＥがソフトハンドオーバー領域に存在する場合、ＨＡＲＱプロトコルスタック構造を概略的に示した図である。
前記図４の説明前、ＵＥがソフトハンドオーバー領域に存在する場合を仮定したので、前記ＵＥがノードＢ４１０とノードＢ４２０間のソフトハンドオーバー領域に存在すると仮定し、前記ノードＢ４１０とノードＢ４２０は同一のＲＮＣ４００により制御されると仮定する。前記図４を参照すると、前記ＵＥがソフトハンドオーバー領域に存在するので、ソフトコンバイン/復号機能とＡＣＫ/ＮＡＣＫ情報を決定するＨＡＲＱ機能がノードＢ４１０４２０とＲＮＣ４００に分散され存在する。ここで、前記ノードＢ４１０、４２０それぞれに存在するＨＡＲＱ関連機能は同一であるので、前記ノードＢ４１０を一例にして説明する。前記ソフトコンバイン/復号機能のためのソフトバッファ４３２とＥＵＤＣＨデコーダ４３３と、ＡＣＫ/ＮＡＣＫ情報を決定する機能のためのＡＣＫ/ＮＡＣＫ情報決定器４３１と、最終(final)ＡＣＫ/ＮＡＣＫ情報決定器４０２で決定したＡＣＫ/ＮＡＣＫ情報をＵＥに伝送するＡＣＫ/ＮＡＣＫ情報送信器４１１とがノードＢ４１０に存在し、前記最終ＡＣＫ/ＮＡＣＫ情報決定器４０２はＲＮＣ４００に存在する。ここで、前記ノードＢ４１０にもＡＣＫ/ＮＡＣＫ情報決定器４３１が存在する。 前記ＡＣＫ/ＮＡＣＫ情報決定器４３１は前記ＵＥが伝送したＥＵＤＣＨデータに対するＡＣＫ/ＮＡＣＫ情報を生成するが、前記ＡＣＫ/ＮＡＣＫ情報決定器４３１で生成されたＡＣＫ/ＮＡＣＫ情報はＵＥに伝送されない。
【００４５】
前記ノードＢ４１０がＵＥからＥＵＤＣＨデータを受信すると、前記ＡＣＫ/ＮＡＣＫ情報決定器４３１は前記ＵＥから受信したＥＵＤＣＨデータに誤りが発生したか否かを判断してＡＣＫ/ＮＡＣＫ情報を決定する。ここで、前記ＡＣＫ/ＮＡＣＫ情報決定器４３１は前記ＵＥから受信したＥＵＤＣＨデータに誤りが発生したか否かを前記受信したＥＵＤＣＨデータのＣＲＣ検査結果を利用して判断し、前記ＣＲＣ検査結果、誤りが発生しなかった場合にはＡＣＫ情報を、前記ＣＲＣ検査結果、誤りが発生した場合にはＮＡＣＫ情報を決定する。
【００４６】
また、前記ＡＣＫ/ＮＡＣＫ情報決定器４３１は前記ＣＲＣ検査後、前記ＵＥから受信したＥＵＤＣＨデータを前記ソフトバッファ４３２に伝達して前記ソフトバッファ４３２に貯蔵されるようにする(data frame、ＣＲＣ check result)(４０３)。一方、前記ＡＣＫ/ＮＡＣＫ情報決定器４３１は前記ＵＥから受信したＥＵＤＣＨデータが正常的である場合にはＡＣＫ情報と、前記受信したＥＵＤＣＨデータをIubインターフェース、即ちフレームプロトコルのデータフレームを通じてＲＮＣ４００に伝達するか、これとは反対に前記ＵＥから受信したＥＵＤＣＨデータに誤りが発生した場合にはＮＡＣＫ情報を前記ＲＮＣ４００に伝達する(ＡＣＫ+data frame/ＮＡＣＫ)(４０６)。
【００４７】
すると、前記ＲＮＣ４００の最終ＡＣＫ/ＮＡＣＫ情報決定器４０２は、前記ノードＢ４１０とノードＢ４２０それぞれで伝達されたＡＣＫ/ＮＡＣＫ情報を利用して前記ＵＥから受信したＥＵＤＣＨデータに対するＡＣＫ/ＮＡＣＫ情報を生成する。ここで、前記最終ＡＣＫ/ＮＡＣＫ情報決定器４０２は、前記ノードＢ４１０とノードＢ４２０それぞれで伝達されたＡＣＫ/ＮＡＣＫ情報を分析し、前記分析結果、前記ノードＢ４１０とノードＢ４２０の全てからＮＡＣＫ情報を受信した場合には、前記ＵＥから受信したＥＵＤＣＨデータに対してＮＡＣＫ情報を決定し、これとは反対に、前記ノードＢ４１０とノードＢ４２０のうちいずれか一つのノードＢからでもＡＣＫ情報を受信した場合には、前記ＵＥから受信したＥＵＤＣＨデータに対してＡＣＫ情報を決定する。前記最終ＡＣＫ/ＮＡＣＫ情報決定器４０２は前記ＵＥから受信したＥＵＤＣＨデータに対して決定した最終ＡＣＫ/ＮＡＣＫ情報をフレームプロトコルの制御フレーム(control frame)を利用して前記ノードＢ４１０とノードＢ４２０に伝送する(４０４、４０５)。すると前記ノードＢ４１０とノードＢ４２０のＡＣＫ/ＮＡＣＫ情報送信器は、前記最終ＡＣＫ/ＮＡＣＫ情報決定器４０２から受信したＡＣＫ/ＮＡＣＫ情報を前記ＵＥに送信する。例えば、前記ノードＢ４１０のＡＣＫ/ＮＡＣＫ情報送信器４１１は前記最終ＡＣＫ/ＮＡＣＫ情報決定器４０２から受信したＡＣＫ/ＮＡＣＫ情報を前記ＵＥに送信する。また、前記ＥＵＤＣＨデコーダ４３３は前記ＵＥから受信したＥＵＤＣＨデータを予め設定されているデコーディング方式に相応するようにデコーディングする。
【００４８】
前記図４ではＵＥがソフトハンドオーバー領域に存在してＨＡＲＱプロトコルスタック構造を説明した。次に図５を参照してＥＵＤＣＨを使用する逆方向通信システムでＨＡＲＱ方式を遂行する過程を説明する。
前記図５は本発明の実施形態に従うＥＵＤＣＨを使用する逆方向通信システムでＨＡＲＱ方式を遂行する過程を概略的に示した信号流れ図である。
前記図５の説明前、現在ＥＵＤＣＨを使用する逆方向通信システムに対する具体的なチャネル構造(channel structure)及びフレームプロトコルが規定されていない状態であるので、本発明で提案するＨＡＲＱ方式に関連されたパラメータ(parameter)を中心に説明し、残りの部分に対してはその具体的な説明を省略する。
【００４９】
前記図５を参照すると、先ず、ＵＥ５０１が非ソフトハンドオーバー(non-SHO)領域、即ち第１ノードＢ(ノードＢ１)５０２がサービスを提供するセルに位置しており(５１０段階)、これによって前記ＵＥ５０１は第１ノードＢ(ノードＢ１)５０２にＥＵＤＣＨデータを伝送する(５１１段階)。ここで、前記ＵＥ５０１が非ソフトハンドオーバー領域に位置しているので、ＨＡＲＱ機能全てが、即ち、ソフトコンバイン/復号機能とＡＣＫ/ＮＡＣＫ情報を決定する機能が前記第１ノードＢ５０２に存在し、ノードＢで直接ＨＡＲＱ方式が遂行されるので、ＴＴＩもＴＴＩSHORTに設定される。前記第１ノードＢ５０２は前記ＵＥ５０１から受信したＥＵＤＣＨデータに対してＣＲＣ検査を遂行し、前記ＣＲＣ検査結果に応じて、前記ＵＥ５０１から受信したＥＵＤＣＨデータに対するＡＣＫ/ＮＡＣＫ情報を決定する。前記第１ノードＢ５０２は前記決定したＡＣＫ/ＮＡＣＫ情報を前記ＵＥ５０１に伝送する(５１２段階)。一方、前記第１ノードＢ５０２は前記ＣＲＣ検査結果、前記ＵＥ５０１から受信したＥＵＤＣＨデータに誤りがない場合、即ち、ＡＣＫ情報を決定する場合、前記ＵＥ５０１から受信したＥＵＤＣＨデータを逆方向(ＵＬ:UpLink)データフレームを通じて前記ＲＮＣ５０４に伝送する(５１３段階)。
【００５０】
一方、前記ＵＥ５０１は前記第１ノードＢ５０２がサービスを提供するセル、即ち非ソフトハンドオーバー領域から、前記第１ノードＢ５０２がサービスを提供するセルと相異なるセル、一例に第２ノードＢ５０３がサービス提供するセルの境界地域(cell boundary region)であるソフトハンドオーバー(ＳＨＯ)領域に移動する場合が発生することができる(５２０段階)。ここで、前記ＵＥ５０１のＲＮＣ５０４は前記第２ノードＢ５０３を前記ＵＥ５０１のアクティブセット(active set)に含ませるために、前記ＵＥ５０１に上位階層シグナルリングメッセージであるアクティブセットアップデート(ACTIVE SET UPDATE)メッセージ伝送する。前記アクティブセットアップデートメッセージには、ハンドオーバー命令と、前記ＵＥ５０１がハンドオーバーを遂行する、即ち前記ソフトハンドオーバー領域に進入する活性化時点(activation time)が含まれている。すると、前記ＵＥ５０１は前記活性化時点でハンドオーバーを遂行すると共に、ＴＴＩをＴＴＩSHORTからＴＴＩLONGに再設定してＥＵＤＣＨデータを伝送するようになる(５２１段階)。
【００５１】
一方、前記ＵＥ５０１はソフトハンドオーバー領域に存在しているので、ＨＡＲＱ機能がノードＢ５０２、５０３とＲＮＣ５０４に分離され存在する。即ち、ソフトコンバイン/復号機能はノードＢ５０２、５０３に存在し、ＡＣＫ/ＮＡＣＫ情報を決定する機能はＲＮＣ５０４に存在する。また、ＲＮＣでＨＡＲＱ方式が遂行されるので、上述したようにＴＴＩもＴＴＩLONGに設定される。また、前記ノードＢ５０２、５０３は前記ＵＥ５０１がソフトハンドオーバー領域に存在することを感知できないので、前記ＲＮＣ５０４は前記ノードＢ５０２、５０３に前記ＵＥ５０１がソフトハンドオーバー領域に存在することを知らせる。
【００５２】
ここで、前記ＲＮＣ５０４はフレームプロトコルの制御フレーム(control frame)を利用して前記ノードＢ５０２、５０３に前記ＵＥ５０１がソフトハンドオーバー領域に存在することを知らせる。前記制御フレームには前記ＵＥ５０１がソフトハンドオーバー領域に進入することを示す情報と、前記ＵＥ５０１が前記ソフトハンドオーバー領域に進入する時点、即ち前記活性化時点に対する情報が含まれる。前記ノードＢ５０２、５０３は前記ＲＮＣ５０４から制御フレームを受信すると、前記時間情報に該当する時点、即ち活性化時点から前記ＵＥ５０１がソフトハンドオーバー領域に存在すると判断すると共に、前記ＴＴＩをＴＴＩLONGに調節し、前記ノードＢ５０２、５０３それぞれで遂行したＡＣＫ/ＮＡＣＫ情報決定機能を停止させ、前記ＲＮＣ５０４で決定するＡＣＫ/ＮＡＣＫ情報に応じて動作するようになる。また、前記ＵＥ５０１はソフトハンドオーバー領域に存在するので、前記ＵＥ５０１は前記第１ノードＢ５０２と第２ノードＢ５０３すべてにＥＵＤＣＨデータを伝送する(５２１段階)。
【００５３】
前記第１ノードＢ５０２は前記ＵＥ５０１から受信したＥＵＤＣＨデータに対してＣＲＣ検査を遂行し、前記ＣＲＣ検査結果に応じて前記ＵＥ５０１から受信したＥＵＤＣＨデータに対するＡＣＫ/ＮＡＣＫ情報を決定する。その後、第１ノードＢ５０２は前記ＵＥ５０１から受信したＥＵＤＣＨデータに誤りがない場合には、ＡＣＫ情報と共に、前記受信したＥＵＤＣＨデータを逆方向データフレームを通じて前記ＲＮＣ５０４に伝送し、これとは反対に、前記ＵＥ５０１から受信したＥＵＤＣＨデータに誤りが存在する場合には、ＮＡＣＫ情報のみを前記ＲＮＣ５０４に伝送する(５２２段階)。また、前記第２ノードＢ５０３は前記ＵＥ５０１から受信したＥＵＤＣＨデータに対してＣＲＣ検査を遂行し、前記ＣＲＣ検査結果に応じて前記ＵＥ５０１から受信したＥＵＤＣＨデータに対するＡＣＫ/ＮＡＣＫ情報を決定する。その後、前記第２ノードＢ５０３は前記ＵＥ５０１から受信したＥＵＤＣＨデータに誤りがない場合には、ＡＣＫ情報と共に、前記受信したＥＵＤＣＨデータを逆方向データフレームを通じて前記ＲＮＣ５０４に伝送し、これとは反対に、前記ＵＥ５０１から受信したＥＵＤＣＨデータに誤りが存在する場合には、ＮＡＣＫ情報のみを前記ＲＮＣ５０４に伝送する(５２３段階)。
【００５４】
ここで、前記第１ノードＢ５０２と第２ノードＢ５０３は、前記ＵＥ５０１が非ソフトハンドオーバー領域に存在する場合には、前記ＵＥ５０１から受信したＥＵＤＣＨデータに対するＡＣＫ/ＮＡＣＫ情報を前記ＵＥ５０１に直接伝送したが、前記ＵＥ５０１がソフトハンドオーバー領域に存在する場合には、前記ＵＥ５０１から受信したＥＵＤＣＨデータに対するＡＣＫ/ＮＡＣＫ情報を前記ＵＥ５０１に直接伝送することはなくＲＮＣ５０４に伝送するようになる。
【００５５】
前記ＲＮＣ５０４は前記第１ノードＢ５０２と第２ノードＢ５０３それぞれからＡＣＫ/ＮＡＣＫ情報を受信し、前記受信したＡＣＫ/ＮＡＣＫ情報に相応するようにＡＣＫ/ＮＡＣＫ情報を決定して、前記第１ノードＢ５０２と第２ノードＢ５０３それぞれに伝送する(５２４段階)。ここで、前記ＲＮＣ５０４は前記図４で説明したように、前記第１ノードＢ５０２と第２ノードＢ５０３すべてからＮＡＣＫ情報を受信した場合には、前記ＵＥ５０１から受信したＥＵＤＣＨデータに対してＮＡＣＫ情報を決定し、前記第１ノードＢ５０２と第２ノードＢ５０３のうちいずれか一つのノードＢからでもＡＣＫを受信した場合には、前記ＵＥ５０１から受信したＥＵＤＣＨデータに対してＡＣＫ情報を決定する。前記第１ノードＢ５０２は前記ＲＮＣ５０４から受信したＡＣＫ/ＮＡＣＫ情報に相応する最終ＡＣＫ/ＮＡＣＫ情報を決定して前記ＵＥ５０１に伝送する(５２５段階)。これと同様に、前記第２ノードＢ５０３も前記ＲＮＣ５０４から受信したＡＣＫ/ＮＡＣＫ情報に相応する最終ＡＣＫ/ＮＡＣＫ情報を決定して前記ＵＥ５０１に伝送する(５２６段階)。上述したように、前記ＵＥ５０１がソフトハンドオーバー領域に存在するとき、ＨＡＲＱ関連機能をノードＢ５０２、５０３とＲＮＣ５０４に分離させることにより、前記ＲＮＣ５０４はノードＢ５０２、５０３中で誤りがないＥＵＤＣＨデータを受信するので、マクロダイバーシティ(macro  diversity)を獲得することができ、前記ＵＥ５０１はノードＢ５０２、５０３から同一のＡＣＫ/ＮＡＣＫ情報を受信するので、正常的なＨＡＲＱ方式を遂行することができる。
【００５６】
上述したように、ＵＥは前記ＵＥで伝送したＥＵＤＣＨデータに対してＡＣＫ/ＮＡＣＫ情報を受信するようになる。前記ＵＥはＡＣＫ情報を受信する場合には、別の動作を遂行しなく、ＮＡＣＫ情報を受信する場合には、前記伝送したＥＵＤＣＨデータに対して再伝送を遂行する。
【００５７】
ここで、本発明のＥＵＤＣＨを使用する逆方向通信システムに相応するＨＡＲＱ方式のために必要な三番目の方式を説明すると、次のようである。
三番目の方式は、ＵＥが非ソフトハンドオーバー領域に存在している場合には、ソフトコンバイン方式としてチェイスコンバイン(Chase Combining、以下、‘ＣＣ’)方式と重複分増加(Incremental Redundancy、以下、‘ＩＲ’)方式を使用し、前記ＵＥがソフトハンドオーバー領域に存在している場合には、前記ＣＣ方式と制限されたバージョン番号(version number)を有したＩＲ方式を使用するようにするものである。ここで、前記‘制限されたバージョン番号’とはバージョン番号のうちで、自己デコーディング可能(self-decodable)なバージョン番号を意味する。前記“自己デコーディング可能”とは前記従来技術部分で説明したように、データを受信したとき、該当データのみを利用して誤りがないデータの復号が可能であるということを意味し、実際具現時には、チャネルコーディング(channel coding)する場合、コーディング比率とＩＲバージョン番号により自己デコーディング可能であるか否かが決定される。
【００５８】
一方、ＵＥがソフトハンドオーバー領域に存在する場合、ＵＥは多数のノードＢそれぞれのセル境界地域に存在するので、チャネル環境が劣悪である可能性が高い。ＵＥがソフトハンドオーバー領域に存在する場合、ノードＢは誤りが発生したデータを受信することもでき、または前記ＵＥで伝送したデータ自体を受信できないこともある。このようにノードＢがＵＥで伝送したデータ自体を受信できない場合、ＵＥが自己デコーディング可能でないバージョン番号を利用してデータを再伝送するようになると、ＵＥでデータ自体を受信できなかったノードＢは該当データに対してソフトコンバインのためにバッファリング(buffering)されているデータが存在しないので、再び誤りが発生する可能性が高い。このように誤りが再発する場合を防止するために、本発明では前記ＵＥがソフトハンドオーバー領域に存在する場合には、再伝送するデータのバージョン番号を自己デコーディング可能なバージョン番号のみを使用するようにする。このように自己デコーディング可能なバージョン番号のみを使用してデータを再伝送することにより、ノードＢはソフトコンバインするデータが存在しなくても正常的にデータを受信することが可能になる。
【００５９】
上述した本発明の詳細な説明では具体的な実施形態について説明したが、本発明の範囲を外れない限り多様な変形が可能なことはもちろんである。したがって、本発明の範囲は説明した実施形態に局限して定められてはいけないし、特許請求の範囲だけでなくこの許請求の範囲と均等なものにより定められなければならない。
【図面の簡単な説明】
【００６０】
【図１】一般的なＷＣＤＭＡ通信システムの構造を概略的に示した図。
【図２】本発明の実施形態での機能を遂行するためのＥＵＤＣＨを使用する逆方向通信システムを概略的に示した図。
【図３】ＵＥが非ソフトハンドオーバー領域に存在する場合、ＨＡＲＱプロトコルスタック構造を概略的に示した図。
【図４】ＵＥがソフトハンドオーバー領域に存在する場合、ＨＡＲＱプロトコルスタック構造を概略的に示した図。
【図５】本発明の実施形態に従うＥＵＤＣＨを使用する逆方向通信システムでＨＡＲＱ方式を遂行する過程を概略的に示した信号流れ図。
【符号の説明】
【００６１】
２０２、２０３      ノードＢ
２０４      ＵＥ(使用者端末機)
２１１      フレームプロトコルデータフレーム
２１２      ＥＵＤＣＨデータ
３１１      ＡＣＫ/ＮＡＣＫ情報送信器
３２１      ＡＣＫ/ＮＡＣＫ情報決定器
３２２      ソフトバッファ
３２３      ＥＵＤＣＨデコーダ
４００      ＲＮＣ
【図１】
2004248299.tif 000003
【図２】
2004248299.tif 000004
【図３】
2004248299.tif 000005
【図４】
2004248299.tif 000006
【図５】
2004248299.tif 000007
【外国語明細書】
2004248299.tif 000008
2004248299.tif 000009
2004248299.tif 000010
2004248299.tif 000011
2004248299.tif 000012
2004248299.tif 000013
2004248299.tif 000014
2004248299.tif 000015
2004248299.tif 000016
2004248299.tif 000017
2004248299.tif 000018
2004248299.tif 000019
2004248299.tif 000020
2004248299.tif 000021
2004248299.tif 000022
2004248299.tif 000023
2004248299.tif 000024
2004248299.tif 000025
2004248299.tif 000026
2004248299.tif 000027
2004248299.tif 000028
2004248299.tif 000029
2004248299.tif 000030
2004248299.tif 000031
2004248299.tif 000032
2004248299.tif 000033
2004248299.tif 000034
2004248299.tif 000035
2004248299.tif 000036
2004248299.tif 000037
2004248299.tif 000038
2004248299.tif 000039
2004248299.tif 000040
2004248299.tif 000041
2004248299.tif 000042
2004248299.tif 000043
2004248299.tif 000044
2004248299.tif 000045
2004248299.tif 000046
2004248299.tif 000047